(57)【要約】【課題】パワートレインを車両の後方側に配設して操縦安定性を向上させることができるとともに、排気系補機の温度を適正に制御できるようにする。【解決手段】車室１とエンジンルーム２を区画するダッシュパネル３に、車体の後方側に凹入する凹入部５が設けられるとともに、この凹入部５内に、車輪を駆動するパワートレイン１１の一部が配設された車両において、上記パワートレイン１１の前方にはパワートレイン冷却用の熱交換器１８が配設され、この熱交換器１とパワートレイン１１との間には、パワートレイン１１から車体の前方側に延びる排気管２２が配設されてこの排気管２２に排気系補機２６が設けられるとともに、上記熱交換器１８が熱交換器本体１６とこの熱交換器本体１６に冷却風を供給する冷却ファン１７とを有し、この冷却ファン１７の冷却風により上記排気系補機２６が冷却可能に構成された。【選択図】図１
2009040183.tif 000002
【特許請求の範囲】
【請求項１】
車室とエンジンルームを区画するダッシュパネルに、車体の後方側に凹入する凹入部が設けられるとともに、この凹入部内に、車輪を駆動するパワートレインの一部が配設された車両において、上記パワートレインの前方にはパワートレイン冷却用の熱交換器が配設され、この熱交換器とパワートレインとの間には、パワートレインから車体の前方側に延びる排気管が配設されてこの排気管に排気系補機が設けられるとともに、上記熱交換器が熱交換器本体とこの熱交換器本体に冷却風を供給する冷却ファンとを有し、この冷却ファンの冷却風により上記排気系補機が冷却可能に構成されたことを特徴とする車両のパワートレイン配設構造。
【請求項２】
上記冷却ファンが、熱交換器本体と排気系補機との間に配設されたことを特徴とする請求項１に記載の車両のパワートレイン配設構造。
【請求項３】
上記排気系補機と冷却ファンとが正面視で互いに重合するように配設されたことを特徴とする請求項１または２に記載の車両のパワートレイン配設構造。
【請求項４】
上記パワートレインが暖機完了状態にあるか否かを検出する暖機完了検出手段と、この暖機完了検出手段によりパワートレインが暖機完了状態にあることが確認された場合に、上記排気系補機を冷却するように冷却ファンを制御する冷却ファン制御手段とを備えたことを特徴とする請求項１〜３のいずれか１項に記載の車両のパワートレイン配設構造。
【請求項５】
上記冷却ファン制御手段は、暖機完了検出手段によりパワートレインが暖機完了状態にないことが確認された場合に、冷却風を車体の前方側に向けて送風し、パワートレインが暖機完了状態にあることが確認された場合に、冷却風を車体後方側に向けて送風するように冷却ファンを制御することを特徴とする請求項４に記載の車両のパワートレイン配設構造。
【請求項６】
上記パワートレインは、エンジンルーム内に縦置き式に配設されるエンジン本体と、その後方に接続されたトランスミッションとを備えたことを特徴とする請求項１〜５のいずれか１項に記載の車両のパワートレイン配設構造。
【請求項７】
上記排気系補機が排気ガス浄化用のキャタライザーであることを特徴とする請求項１〜６のいずれか１項に記載の車両のパワートレイン配設構造。
【発明の詳細な説明】
【技術分野】
【０００１】
本発明は、車室とエンジンルームを区画するダッシュパネルに車体の後方側に凹入する凹入部が設けられるとともに、この凹入部内に車輪を駆動するパワートレインの一部が配設された車両のパワートレイン配設構造に関するものである。
【背景技術】
【０００２】
従来、下記特許文献１に示されるように、車室と、その前方にダッシュパネルにより区画されたエンジンルームとが設けられ、上記エンジンルーム内に配設されたエンジン本体等を有するパワートレインにより後輪が駆動されるように構成された後輪駆動車両において、エンジン本体の排気管をエンジンの前方を経由して後方に延びるように設置し、この排気管の上流部に排気ガス浄化用の上流側キャタライザー（キャタリスト）を設けて上記パワートレインの前方側に配設するとともに、その前方側にラジエータと冷却ファンとを有するパワートレイン冷却用の熱交換器（クーリングユニット）を配設し、かつ車室フロアのトンネル部内に導入された排気管の下流部に排気ガス浄化用の下流側キャタライザーを配設することが行われている。
【特許文献１】特開２００３−３２６９８１号公報
【発明の開示】
【発明が解決しようとする課題】
【０００３】
上記特許文献１に開示されているように、エンジン本体の排気管に設けられた排気ガス浄化用の上流側キャタライザーからなる排気系補機を、パワートレインの前方側において車幅方向に延びるように配設した場合には、パワートレインの後方側に上記上流側キャタライザーを配設した場合に比べ、パワートレインを車体の後方側に位置させることができるため、車両の走行時におけるヨー慣性モーメントを低減して操縦安定性を向上させることが可能である。しかし、上記特許文献１に開示された車両のエンジン配設構造では、図６および図７に示すように、排気ガス浄化用の下流側キャタライザーαが車室内の中央底部に設けられたトンネル部６内に配設されているため、この下流側キャタライザーαにおいて発生した反応熱により乗員の足元部に及ぶのを防止するための遮熱板を設け、あるいは乗員用シート７を上方に配設して上記下流側キャタライザーαから離間させる等の手段を講じる必要がある。したがって、車体の構造が複雑になって製造コストがアップし、あるいは車高が高くなって車体デザインの自由度が制限される等の問題がある。
【０００４】
なお、エンジンルーム内に配設された排気ガス浄化用の上流側キャタライザーを大型化することにより、上記トンネル部６内に配設される下流側キャタライザーαを小型化し、あるいはこの下流側キャタライザーαを省略することも考えられるが、この場合には、エンジンルーム内に配設された上記排気ガス浄化用の上流側キャタライザー等からなる排気系補機２６を適正にレイアウトすることが困難であるという問題がある。また、上記排気系補機２６の温度制御が困難であるため、パワートレイン１１の始動後に排気系補機２６を暖機するのに長時間を要し、あるいは排気系補機２６が過度に加熱されて熱害が発生し易い等の問題がある。
【０００５】
本発明は、上記の問題点に鑑みてなされたものであり、パワートレインを車両の後方側に配設して操縦安定性を向上させることができるとともに、排気系補機の温度を適正に制御することができる車両のパワートレイン配設構造を提供することを目的としている。
【課題を解決するための手段】
【０００６】
請求項１に係る発明は、車室とエンジンルームを区画するダッシュパネルに、車体の後方側に凹入する凹入部が設けられるとともに、この凹入部内に、車輪を駆動するパワートレインの一部が配設された車両において、上記パワートレインの前方にはパワートレイン冷却用の熱交換器が配設され、この熱交換器とパワートレインとの間には、パワートレインから車体の前方側に延びる排気管が配設されてこの排気管に排気系補機が設けられるとともに、上記熱交換器が熱交換器本体とこの熱交換器本体に冷却風を供給する冷却ファンとを有し、この冷却ファンの冷却風により上記排気系補機が冷却可能に構成されたものである。
【０００７】
請求項２に係る発明は、上記請求項１に記載の車両のパワートレイン配設構造において、上記冷却ファンが、熱交換器本体と排気系補機との間に配設されたものである。
【０００８】
請求項３に係る発明は、上記請求項１または２に記載の車両のパワートレイン配設構造において、上記排気系補機と冷却ファンとが正面視で互いに重合するように配設されたものである。
【０００９】
請求項４に係る発明は、上記請求項１〜３のいずれか１項に記載の車両のパワートレイン配設構造において、上記パワートレインが暖機完了状態にあるか否かを検出する暖機完了検出手段と、この暖機完了検出手段によりパワートレインが暖機完了状態にあることが確認された場合に、上記排気系補機を冷却するように冷却ファンを制御する冷却ファン制御手段とを備えたものである。
【００１０】
請求項５に係る発明は、上記請求項４に記載の車両のパワートレイン配設構造において、暖機完了検出手段によりパワートレインが暖機完了状態にないことが確認された場合に、冷却風を車体の前方側に向けて送風し、パワートレインが暖機完了状態にあることが確認された場合に、冷却風を車体後方側に向けて送風するように冷却ファンを制御するものである。
【００１１】
請求項６に係る発明は、上記請求項１〜５のいずれか１項に記載の車両のパワートレイン配設構造において、上記パワートレインが、エンジンルーム内に縦置き式に配設されるエンジン本体と、その後方に接続されたトランスミッションとを備えたものである。
【００１２】
請求項７に係る発明は、上記請求項１〜６のいずれか１項に記載の車両のパワートレイン配設構造において、上記排気系補機が排気ガス浄化用のキャタライザーからなるものである。
【発明の効果】
【００１３】
請求項１に係る発明では、上記排気ガス浄化用のキャタライザー等からなる排気系補機をパワートレインの前方側に配設するとともに、上記パワートレインの一部をダッシュパネル凹入部内に配設することにより、エンジンルーム内において縦置き式に配設された重量物である上記パワートレインを、可及的に車両の後方側に位置させることができるため、車両の重心を車体の中心部側に位置させることにより、車両の走行時に作用するヨー慣性モーメントを効果的に低減して操縦安定性を向上させることができる。また、ラジエータ等からなる熱交換器本体に冷却風を供給する熱交換器の冷却ファンにより、上記排気系補機を冷却可能に構成したため、フロントグリルの開口部等からエンジンルーム内に導入される走行風量が少ない場合においても、排気系補機がその反応熱に応じて過度に加熱されることにより早期に熱劣化したり、その温度が適正値以上となって排気ガスの浄化機能が損なわれたりすること等を効果的に防止できるという利点がある。
【００１４】
請求項２に係る発明では、必要に応じて上記冷却ファンを作動させることにより熱交換器における熱交換機能を充分に発揮させることができるとともに、上記冷却ファンから供給される冷却風により排気系補機を効率よく冷却してその熱劣化を効果的に防止できるという利点がある。
【００１５】
請求項３に係る発明では、必要時に冷却ファンの冷却風を排気系補機の設置部に対して充分に供給し、この排気系補機を、より効果的に冷却できるという利点がある。
【００１６】
請求項４に係る発明では、暖機完了検出手段においてパワートレインが暖機完了状態にあることが確認された場合に、上記冷却ファンを作動させて排気系補機を冷却するように構成したため、フロントグリルの開口部等からエンジンルーム内に導入される走行風量が少ない場合においても、排気系補機を効果的に冷却してその早期熱劣化等を効果的に防止することができる。また、上記暖機完了検出手段においてパワートレインが暖機完了状態にないこと、つまりパワートレインの始動直後における暖機運転状態にあることが確認された場合に、上記冷却ファンを作動停止状態とすることにより、排気系補機の暖機を効果的に促進して早期に排気ガスの浄化機能を発揮させることができるとともに、上記排気系補機の反応熱に応じてその後方に配設されたパワートレインを加熱することにより、その暖機を効果的に促進できるという利点がある。
【００１７】
請求項５に係る発明では、暖機完了検出手段においてパワートレインが暖機完了状態にあることが確認された場合に、上記冷却ファンの冷却風を車体後方側に向けて送風し、上記熱交換器の車体の後方側に位置する排気系補機の設置部に上記冷却風を供給して排気系補機を冷却するように構成したため、フロントグリルの開口部等からエンジンルーム内に導入される走行風量が少ない場合においても、排気系補機を効果的に冷却してその早期熱劣化等を効果的に防止することができる。また、上記暖機完了検出手段においてパワートレインが暖機完了状態にないことが確認された場合に、上記冷却ファンの冷却風を車体の前方側に向けて送風するように構成したため、車両の走行時に上記フロントグリルの開口部等からエンジンルーム内に導入された走行風を、上記冷却風によって車体の前方側へ押し返すことができ、上記排気ガス浄化用のキャタライザー等からなる排気系補機の設置部に到達する走行風の風量を低減することができるため、排気系補機の暖機を効果的に促進して早期に排気ガスの浄化機能を発揮させることができるとともに、上記排気系補機の反応熱に応じてその後方に配設されたパワートレインを加熱することにより、その暖機を効果的に促進できるという利点がある。
【００１８】
請求項６に係る発明では、エンジンルーム内において縦置き式に配設された重量物であるエンジン本体およびトランスミッションを有するパワートレインを可及的に車両の後方側に配設することができるため、車両の重心を車体の中心部側に位置させることにより、車両の走行時に作用するヨー慣性モーメントを効果的に低減して操縦安定性を向上させることができる。
【００１９】
請求項７に係る発明では、パワートレインの前方側に、排気ガス浄化用のキャタライザーからなる排気系補機を配設するとともに、この排気ガス浄化用のキャタライザーを熱交換器の冷却ファンにより冷却可能に構成したため、上記排気ガス浄化用のキャタライザーがその反応熱等により過度に加熱されて早期に熱劣化するのを防止できるとともに、適正反応温度よりも高温に加熱されて排気ガスの浄化性能が低下するのを効果的に防止できるという利点がある。
【発明を実施するための最良の形態】
【００２０】
図１〜図４は、本発明に係る車両のパワートレイン配設構造の実施形態を示している。上記車両には、車室１とエンジンルーム２を区画するダッシュパネル３が設けられるとともに、このダッシュパネル３の下端部にフロアパネル４の前端部が接続されている。上記ダッシュパネル３の車幅方向中央部には、車体の後方側に凹入する凹入部５が形成されるとともに、上記フロアパネル４の車幅方向中央部には、上方に向けて膨出するトンネル部６が形成され、かつその左右には、運転席および助手席等からなる乗員用シート７が配設されている。
【００２１】
上記エンジンルーム２の上面部には、ボンネット８が開閉可能に設置されている。このボンネット８の前端部下方には、走行風取入用の開口部を有するフロントグリル９が配設されている。このフロントグリル９の上部後方には、バンパレインフォースメント１０が車幅方向に延びるように設置され、その左右両端部には、左右一対のフロントサイドフレーム２０が車体の後方側に延びるように配設されている。また、上記エンジンルーム２の後方部には、図外の後部車輪を駆動するパワートレイン１１が配設されている。このパワートレイン１１は、縦置き式に配設されたロータリエンジン等からなるエンジン本体１２と、その後方に接続されたトランスミッション１３とを有している。
【００２２】
そして、上記エンジン本体１２の後部が、ダッシュパネル３に形成された凹入部５内に配設されるとともに、上記トランスミッション１３およびこれに接続されたプロペラシャフト１４と、パワープラントフレーム１５とが上記トンネル部６内に配設されている。また、上記エンジンルーム２の前方部には、ラジエータ等からなる熱交換器本体１６と、その後方側に位置する冷却ファン１７等とを備えたパワートレイン冷却用の熱交換器１８が、上記エンジン本体１２の前方位置において所定角度の前傾姿勢で設置されている。
【００２３】
上記エンジン本体１２の一側面部には、排気ポートに連通する排気管２２が接続されている。この排気管２２は、エンジン本体１２の一側面部から車体の前方側に延びる前方延長部２３と、その前端部からエンジン本体１２の下部前面に沿って車幅方向に延びる側方延長部２４と、その側端部から車体の後方側に延びる後方延長部２５とを有し、この後方延長部２５の後部が上記トンネル部６内に導入されている。
【００２４】
上記排気管２２の側方延長部２４には、排気ガス浄化用のキャタライザー等からなる排気系補機２６が、上記エンジン本体１２と熱交換器１８との間、具体的には熱交換器本体１６の後方側に配設された冷却ファン１７の後方側で、かつエンジン本体１２の前方側において車幅方向に延びるように配設されている。また、上記排気系補機２６が熱交換器１８の下方部に沿った位置に配設されるとともに、正面視で排気系補機２６と熱交換器１８の冷却ファン１７とが互いに重合するように、それぞれの設置高さが設定されている。
【００２５】
なお、図１において、符号２８は、エンジンの冷却水温度を検出する温度センサであり、符号２９は、上記温度センサ２８の出力信号に応じてパワートレイン１１が暖機完了状態にあるか否かを検出する暖機完了検出手段である。また、符号３０は、上記暖機完了検出手段２９の検出信号に応じて上記冷却ファン１７に作動指令信号を出力する冷却ファン制御手段であり、図３において、符号３１は、前輪用のサスペンションーアーム等が取り付けられるサスペンションクロスメンバである。
【００２６】
上記構成において、温度センサ２８の検出信号に応じてパワートレイン１１が暖機完了状態にあることが上記暖機完了検出手段２９により確認された場合には、この暖機完了検出手段２９の出力信号を受けて上記熱交換器１８の冷却ファン１７を正回転させる作動指令信号が冷却ファン制御手段２８から冷却ファン１７の駆動部に出力され、図１に示すように、その冷却風Ｒを車体後方側に向けて送風する制御が実行される。この結果、上記冷却風Ｒにより排気系補機２６が効果的に冷却され、この排気系補機２６の温度が過度に上昇することが抑制される。
【００２７】
また、上記温度センサ２８の検出信号に応じて暖機完了状態にないこと、つまりパワートレイン１１の始動直後における暖機運転状態にあることが上記暖機完了検出手段２９により確認された場合には、その出力信号を受けて上記冷却ファン１７を逆回転させる作動指令信号が上記冷却ファン制御手段２８から冷却ファン１７に出力され、図５に示すように、その冷却風Ｆを車体の前方側に向けて送風する制御が実行される。これにより、車両の走行時に上記フロントグリル９の開口部等からエンジンルーム２内に導入された走行風Ｓが、上記冷却風Ｆによって前方の車外側へ押し返され、上記排気系補機２６の設置部に到達する走行風Ｓの風量が低減されて排気系補機２６の暖機が促進されることになる。
【００２８】
上記のように車室１とエンジンルーム２を区画するダッシュパネル３に、車体の後方側に凹入する凹入部５が設けられるとともに、車輪を駆動するパワートレイン１１の一部が上記凹入部５内に配設された車両において、上記パワートレイン１１の前方に、パワートレイン冷却用の熱交換器１８と、パワートレイン１１を構成するエンジン本体１２の側面部から車体の前方側に延びる排気管２２とを配設するとともに、この排気管２２に設けられた排気系補機２６を上記パワートレイン１１の前方に配設した場合には、このパワートレイン１１を車両の後方側に位置させて車両の走行時におけるヨー慣性モーメントを効果的に低減できる等の利点がある。
【００２９】
すなわち、上記排気ガス浄化用のキャタライザー等からなる排気系補機２６をパワートレイン１１の前方側に配設するとともに、上記パワートレイン１１を構成するエンジン本体１２の後部を上記凹入部５内に配設することにより、エンジンルーム２内において縦置き式に配設された重量物である上記エンジン本体１２およびトランスミッション１３を、可及的に車両の後方側に配設することができるため、車両の重心を車体の中心部側に位置させることにより、車両の走行時に作用するヨー慣性モーメントを効果的に低減して操縦安定性および走行安定性を向上させることができる。
【００３０】
また、上記パワートレイン１１を車両の後方側に位置させることによりスペース的に余裕が生じたエンジンルーム２内において、大型のキャタライザーからなる排気系補機２６を自由にレイアウトすることができるため、従来、車室フロアのトンネル部６内またはフロアパネル４の下方等に配設されていた下流側キャタライザーα（図６および図７参照）を小型化し、あるいは省略することができる。したがって、上記下流側キャタライザーαにおいて発生した熱の影響が車室１内に及ぶのを阻止するために断熱部材を設置する等の手段を講じることなく、上記下流側キャタライザーαの反応熱に応じて乗員の足元部分が加熱されること等を効果的に防止できるという利点がある。
【００３１】
しかも、従来例のように、車室フロアのトンネル部６内等に上記排気ガス浄化用の下流側キャタライザーαを配設した場合には、車室１内に配設された乗員用シート７を、ある程度上方に位置させることにより、上記下流側キャタライザーαとの干渉を避ける必要がある。これに対して上記下流側キャタライザーαを省略、または小型化した場合には、図４に示すように、乗員用シート７を従来よりも下方に位置させることができるとともに、これに対応して車高を低くすることが可能になる等の利点がある。
【００３２】
そして、上記のようにラジエータ等からなる熱交換器本体１６に冷却風を供給する熱交換器１８の冷却ファン１７により、上記排気ガス浄化用のキャタライザー等からなる排気系補機２６を冷却可能に構成したため、フロントグリル９の開口部等からエンジンルーム２内に導入される走行風量が少ない場合においても、排気系補機２６がその反応熱に応じて過度に加熱されることにより早期に熱劣化したり、その温度が適正値以上となって排気ガスの浄化機能が損なわれたりすること等を効果的に防止できるという利点がある。
【００３３】
すなわち、上記実施形態では、熱交換器１８の冷却ファン１７と、上記排気系補機２６とを正面視で互いに重合するように配設し、暖機完了検出手段２９においてパワートレイン１１が暖機完了状態にあることが確認された場合に、上記冷却ファン１７を正回転させる作動指令信号を出力し、その吸引力に応じて上記フロントグリル９の開口部等からエンジンルーム２内に冷却風Ｒを導入し、この冷却風Ｒを上記熱交換器１８の設置部に供給してエンジン冷却水の熱交換を積極的に行わせるとともに、その車体の後方側に位置する上記排気系補機２６の設置部に上記冷却風Ｒを供給して排気系補機２６を冷却するように構成したため、フロントグリル９の開口部等からエンジンルーム２内に導入される走行風量が少ない場合においても、排気系補機２６を効果的に冷却してその早期熱劣化等を効果的に防止することができる。
【００３４】
また、上記実施形態では、暖機完了検出手段２９においてパワートレイン１１が暖機完了状態にないこと、つまりパワートレイン１１の始動直後における暖機運転状態にあることが確認された場合に、上記冷却ファン１７を逆回転させる作動指令信号を出力し、図５に示すように、その冷却風Ｆを車体の前方側に向けて送風するように構成したため、車両の走行時に上記フロントグリル９の開口部等からエンジンルーム２内に導入された走行風Ｓを、上記冷却風Ｆによって車体の前方側へ押し返すことができる。したがって、上記排気ガス浄化用のキャタライザー等からなる排気系補機２６の設置部に到達する走行風Ｓの風量を低減することにより、排気系補機２６の暖機を効果的に促進して早期に排気ガスの浄化機能を発揮させることができる。さらに、上記排気系補機２６の反応熱に応じてその後方に配設されたパワートレイン１１を加熱することにより、その暖機を効果的に促進できるという利点がある。
【００３５】
なお、上記熱交換器１８の冷却ファン１７と排気系補機２６とを正面視で互いに重合するように配設した上記実施形態に代え、上記冷却ファン１７と排気系補機２６とを正面視で上下にオフセットさせて配設するとともに、上記冷却ファン１７の送風方向が排気系補機２６の設置部を向くように、冷却ファン１７を傾斜させた構成としてもよい。そして、パワートレイン１１の暖機完了状態あることが確認された場合に、上記冷却ファン１７を正回転させてその冷却風を排気系補機２６の設置部に供給することにより、これを冷却するように構成してもよい。
【００３６】
また、上記実施形態では、暖機完了検出手段２９においてパワートレイン１１が暖機完了状態にないことが確認された場合に、上記冷却ファン１７を常時作動させてその冷却風Ｆを車体の前方側に向けて送風する制御を上記冷却ファン制御手段２７により実行するように構成した例について説明したが、上記暖機完了検出手段２９においてパワートレイン１１の暖機完了状態にないことが確認されるとともに、図外の車輪速センサの検出信号等に応じて車両が所定の走行状態にあることが確認されたた場合にのみ、上記冷却ファン１７を作動させてその冷却風Ｆを車体の前方側に向けて送風する制御を実行し、かつ車両が停止状態あるいは低速走行状態にあることが確認された場合には、冷却ファン１７の作動を停止させるように構成してもよい。
【００３７】
上記のように構成した場合には、パワートレイン１１の暖機運転状態における車両の走行時に、上記フロントグリル９の開口部等からエンジンルーム２内に導入された走行風Ｓを、上記冷却風Ｆによって車体の前方側へ押し返すことにより、排気系補機２６が走行風Ｓにより冷却されるのを防止してその暖機を効果的に促進できるとともに、パワートレイン１１の暖機運転状態における車両の停止時等には、上記冷却ファン１７を停止状態とすることにより、電力の消費を抑制しつつ、上記排気系補機２６の暖機を効果的に促進できるという利点がある。
【００３８】
上記実施形態では、エンジンルーム２内に縦置き式に配設されるエンジン本体１２と、その後方に接続されたトランスミッション１３とを備えたパワートレイン１１の一部を、ダッシュパネル３に形成された後方側への凹入部５内に配設したため、重量物である上記エンジン本体１２およびトランスミッション１３を、可及的に車両の後方側に配設して車両の重心を車体の中心部側に位置させることにより、車両の走行時に作用するヨー慣性モーメントを効果的に低減して操縦安定性を向上させることができるという利点がある。
【００３９】
なお、上記排気系補機２６としては排気ガス浄化用のキャタライザー以外に、排気ガス中の未燃焼成分を燃焼させるサーマルリアクタ、またはターボチャージャー用の排気タービン等が考えられる。しかし、上記排気ガス浄化用のキャタライザーは、温度変化に応じて活性状態が顕著に変化するとともに、高温に加熱されると熱劣化を生じ易い傾向がある。したがって、上記実施形態に示すように、パワートレイン１１の前方側に、排気ガス浄化用のキャタライザーからなる排気系補機２６を配設するとともに、この排気系補機２６を熱交換器１８の冷却ファン１７により冷却可能に構成すれば、上記排気系補機２６がその反応熱等により過度に加熱されて早期に熱劣化するのを防止できるとともに、適正反応温度よりも高温に加熱されて排気ガスの浄化性能が低下するのを効果的に防止できるという利点がある。
【図面の簡単な説明】
【００４０】
【図１】本発明に係る車両のパワートレイン配設構造の実施形態を示す側面断面図である。
【図２】上記パワートレイン配設構造の実施形態を示す平面断面図である。
【図３】図２のＡ−Ａ線断面図である。
【図４】図２のＢ−Ｂ線断面図である。
【図５】パワートレインの暖機完了状態における冷却ファンの作動状態を側面断面図である。
【図６】本発明に係る車両のパワートレイン配設構造の従来例を示す側面断面図である。
【図７】図６のＣ−Ｃ線断面図である。
【符号の説明】
【００４１】
１  車室
２  エンジンルーム
１１  パワートレイン
１２  エンジン本体
１３  トランスミッション
１６  熱交換器本体
１７  冷却ファン
１８  熱交換器
２２  排気管
２６  排気系補機
２９  暖機完了検出手段
３０  冷却ファン制御手段
【図１】
2009040183.tif 000003
【図２】
2009040183.tif 000004
【図３】
2009040183.tif 000005
【図４】
2009040183.tif 000006
【図５】
2009040183.tif 000007
【図６】
2009040183.tif 000008
【図７】
2009040183.tif 000009